(57)【要約】【課題】この発明は、荷材運搬用途に適した繊維製のスリングベルトに関し、幅方向端部に切創を生じさせ難く、かつ、端部に切創が発生した後も比較的長期に渡って安定した強度を維持することの出来る構成を提供することを目的とする。【解決手段】繊維製のスリングベルト１０を構成する。スリングベルト１０は、長さ方向の両端にアイ部１２を備える。アイ部１２の間にベルト部１６を備える。ベルト部１６は、ベルト本体２０と、ベルト本体２０の幅方向端部の両端に形成された切創補強部２２とを有する。ベルト本体２０は、ポリエステル繊維の縦糸と横糸で形成される。切創補強部２２は、ベルト本体２０と共通の横糸に、パラ系アラミド繊維からなる複数の縦糸を交織させることにより形成される。【選択図】図２
2017197338.tif 000002
【特許請求の範囲】
【請求項１】
第１の素材で織られたベルト本体と、
前記第１の素材に比して切創抵抗の高い第２の素材を交織することで、前記ベルト本体の幅方向端部の両側に形成された切創補強部と、
を備えることを特徴とするスリングベルト。
【請求項２】
前記ベルト本体は、縦糸及び横糸の双方が前記第１の素材である織布であり、
前記切創補強部は、前記ベルト本体と共通の横糸と前記第２の素材の複数の縦糸とが交織された織布であることを特徴とする請求項１に記載のスリングベルト。
【請求項３】
前記第１の素材はポリエステル繊維であり、
前記第２の素材はパラ系アラミド繊維であることを特徴とする請求項１又は２に記載のスリングベルト。
【請求項４】
前記ベルト本体には、当該ベルト本体により達成される使用荷重が表示されていることを特徴とする請求項１乃至３の何れか１項に記載のスリングベルト。
【発明の詳細な説明】
【技術分野】
【０００１】
この発明は、スリングベルトに係り、特に、荷材運搬用途に適した繊維製のスリングベルトに関する。
【背景技術】
【０００２】
特許文献１には、荷材運搬用途に適したスリングベルトが開示されている。このスリングベルトは、ポリエステルを主体とする繊維で構成される。ポリエステルは、優れた機械特性と耐候性を有すると共に、優れた生分解性を備えている。このため、上記従来のスリングベルトによれば、荷材運搬資材としての高い耐久性を確保しつつ、廃棄物による環境の悪化を回避することができる。
【先行技術文献】
【特許文献】
【０００３】
【特許文献１】特開２００２−２１１８７６号公報
【発明の概要】
【発明が解決しようとする課題】
【０００４】
スリングベルトには、使用が繰り返されることにより切創が生ずることがある。一般に、この切創は、スリングベルトの幅方向端部において生じ易い。このような切創が生じた後にそのスリングベルトに大きな荷重が加われば、切創が生じた箇所から破損が拡大してやがてはスリングベルトの破断につながる。
【０００５】
上記従来のスリングベルトは、その全体がポリエステルを主体とする単一素材で構成されている。このような構成によると、ベルトの劣化は、荷材等との干渉を強く受け易い幅方向端部において生じ易い。そして、ベルトの端部に一旦切創が生ずると、ベルトの破損が進行し易く、その後比較的早期に破断に至り易い。
【０００６】
この発明は、上述のような課題を解決するためになされたもので、幅方向端部に切創を生じさせ難く、かつ、端部に切創が発生した後も比較的長期に渡って安定した強度を維持することの出来るスリングベルトを提供することを目的とする。
【課題を解決するための手段】
【０００７】
第１の発明は、上記の目的を達成するため、繊維製のスリングベルトであって、第１の素材で織られたベルト本体と、前記第１の素材に比して切創抵抗の高い第２の素材を交織することで、前記ベルト本体の幅方向端部の両側に形成された切創補強部と、を備えることを特徴とする。
【０００８】
また、第２の発明は、第１の発明において、前記ベルト本体は、縦糸及び横糸の双方が前記第１の素材である織布であり、前記切創補強部は、前記ベルト本体と共通の横糸と前記第２の素材の縦糸とが交織された織布であることを特徴とする。
【０００９】
また、第３の発明は、第１又は第２の発明において、前記第１の素材はポリエステル繊維であり、前記第２の素材はパラ系アラミド繊維であることを特徴とする。
【００１０】
また、第４の発明は、第１乃至第３の発明の何れかにおいて、前記ベルト本体には、当該ベルト本体により達成される使用荷重が表示されていることを特徴とする。
【発明の効果】
【００１１】
第１の発明によれば、スリングベルトのベルト本体を切創補強部で保護することができる。切創補強部は高い切創抵抗を有している。このため、切創補強部には、ベルト本体に比して切創が生じ難い。このため、本発明によれば、全体として耐切創強度の高いスリングベルトを実現することができる。また、本発明に構成によれば、荷材の運搬に用いられるに際して、切創補強部に保護されているベルト本体には劣化が生じ難い。このため、本発明によれば、切創補強部に切創が生じた後も、スリングベルトの交換に要する時間に対して十分に長い時間に渡って、安定した使用強度を維持することができる。
【００１２】
第２の発明によれば、切創補強部に、第２の素材の縦糸を複数交織させることができる。スリングベルトの切創抵抗は、端部の縦糸の強度により大きな影響を受ける。本発明では、切創補強部が第２の素材の縦糸が用いられるため、ベルト全体として高い切創抵抗が実現される。また、本発明によれば、切創補強部を構成する複数の縦糸の一部に切創が生じた段階で、切創の発生を目視することができる。つまり、本発明によれば、切創補強部に第２の素材の縦糸が未だ残っている段階で切創の発生を目視することができる。第２の素材の縦糸が残っている段階では、スリングベルトは十分に高い使用強度を安定的に発揮することができる。このため、本発明によれば、スリングベルトの交換に要する時間に対して十分に長い時間に渡り、安定した使用強度を維持することができる。
【００１３】
第３の発明によれば、優れた機械強度を有するポリエステル繊維でベルト本体を構成することができる。また、ポリエステル繊維に比して更に優れた接触抵抗を有するパラ系アラミド繊維によって切創補強部を構成することができる。
【００１４】
第４の発明によれば、スリングベルトを、ベルト本体が発揮する使用荷重の下で用いるように誘導することができる。切創補強部が完全に断裂したとしても、その使用荷重は、ベルト本体により確保することができる。このため、本発明によれば、切創補強部に切創が生じた後、スリングベルトを交換するまでの間、安定的に必要な使用荷重を確保することができる。
【図面の簡単な説明】
【００１５】
【図１】本発明の実施の形態１のスリングベルトの概要を説明するための図である。
【図２】図１に示すスリングベルトの特徴を説明するための図である。
【発明を実施するための形態】
【００１６】
実施の形態１．
図１は、本発明の実施の形態１のスリングベルト１０の外観を示す図である。本実施形態のスリングベルト１０は、両端に環状のアイ部１２を備える両端アイ型のスリングベルトである。スリングベルト１０はアイ部１２をクレーン等に玉掛けして荷材の運搬に用いられる資材である。
【００１７】
本実施形態において、アイ部１２は、補強パッド１４を二重縫製することで補強されている。また、ベルト部１６は、二重構成となるように縫製された２枚の織布で形成されており、撥水加工処理が施されている。通常のスリングベルトは雨天下での使用の際に水を含んでしまうが、本実施形態のスリングベルトは、水を含むことがないため、そのような使用環境下でも優れた作業効率を維持することができる。
【００１８】
図２（Ａ）は、本実施形態のスリングベルト１０の特徴を説明するための図である。図２（Ａ）に示すように、スリングベルト１０のベルト部１６は、両端に縫製部１８を備えている。縫製部１８は、二重構造のスリングベルト１０を構成する２枚の織布が十分な強度と耐久性を有するように、他の部位に比して厳重に縫製されている。
【００１９】
縫製部１８の間には、ベルト本体２０が形成されている。ベルト本体２０の幅方向端部の両側には切創補強部２２が形成されている。ベルト本体２０は、第１の素材からなる縦糸と横糸で織られている。また、切創補強部２２は、ベルト本体２０と共通の横糸と、第１の素材に比して高い切創抵抗を有する第２の素材からなる縦糸で織られている。
【００２０】
本実施形態では、具体的には、第１の素材としてポリエステル繊維が用いられる。また、第２の素材としてはパラ系アラミド繊維が用いられる。第２の素材は、例えば、商標名ケブラー（登録商標）として公知のポリパラフェニリンテレフタルアミドの繊維で実現することができる。
【００２１】
ベルト本体２０の両端に形成された切創補強部２２は、ケブラー繊維の縦糸を夫々複数本、より具体的には、夫々８本備えている。切創補強部２２は、ベルト本体２０を形成するポリエステル繊維の横糸に、所望数のケブラー繊維の縦糸を交織させることで形成することができる。ケブラー繊維によれば、ポリエステル繊維に比して数倍の機械的強度を得ることができる。このため、本実施形態の構成によれば、切創補強部２２に、ベルト本体２０に比して高い切創抵抗を付与することができる。
【００２２】
図２（Ａ）に示すように、スリングベルト１０のベルト本体２０には、種々の情報が表示されている。図２（Ａ）において「ＡＢＣ」の表示はスリングベルト１０の所有者を表している。荷材運搬の現場には、複数の運搬業者が集まり、夫々の業者が資材を出し合って作業を進めることがある。ベルト本体２０に所有者が表示されていれば、そのような状況下でのスリングベルト１０の紛失を有効に防ぐことができる。
【００２３】
図２において、「０．８ＴＯＮ吊」の表示は、図示されたスリングベルト１０の使用荷重が０．８トンであることを示している。ベルト本体２０に図示のように分かり易く使用荷重が表示されていれば、作業者は、その表示を参考にして荷材の荷重に対して適切なスリングベルトを容易に選択することができる。
【００２４】
また、本実施形態に表示される使用荷重の値は、ベルト本体２０によって確保される使用荷重、つまり、切創補強部２２の縦糸に頼らずに確保できる使用荷重である。スリングベルト１０の使用が繰り返されることにより、端部に位置する切創補強部２２には切創が生ずることがある。切創補強部２２に切創が生ずれば、当然にスリングベルト１０の機械的強度は低下する。その状態で過剰な荷重が掛かればスリングベルト１０の劣化が一気に進んで断裂に至ることもある。これに対して、本実施形態では、上述した使用荷重の表示によって、スリングベルト１０が、ベルト本体２０の使用荷重下で用いられるように仕向けられている。この場合、切創補強部２２に切創が生じた状態でもスリングベルト１０は、荷材運搬資材としての機能を十分に発揮することができる。そして、「切創補強部２２に切創を発見したらスリングベルト１０を交換する」、という運用規則を定めておけば、荷材運搬の途中でスリングベルト１０が断裂するような事態の発生を有効に回避することができる。
【００２５】
切創補強部２２の切創の発見は作業者にとって容易である。このため、上記の交換基準は、作業者にとって明白な基準となる。そして、その基準に従ってスリングベルト１０を交換することとすれば、未だ十分に使用できる状態で無駄にベルトを交換してしまう事態も、ベルトの交換が遅すぎて荷材の運搬途中で異常が生じてしまうような事態も、発生を回避することができる。このため、本実施形態のスリングベルト１０によれば、荷材の運搬に関わる安全性を損なうことなく、スリングベルト１０が有する耐久能力を無駄なく使い切ることができる。
【００２６】
図２（Ａ）において、「Ｈ２８年４月」は、スリングベルト１０の使用開始月である。また、「過吊厳禁」はスリングベルト１０の使用上の注意である。ベルト本体２０には、このような様々な情報を表示することができる。
【００２７】
図２（Ｂ）は、他の表示の例を示す。ここでは、使用荷重が「２．５ＴＯＮ」と表示されており、また、注意事項として「立入禁止」が示されている。尚、図２（Ｂ）に示すスリングベルト１０も、図２（Ａ）に示すベルト１０と同様に、ポリエステル製のベルト本体２０と、ケブラー（登録商標）製の複数の縦糸が交織された切創補強部２２とを備えている。
【００２８】
以上説明した通り、本実施形態のスリングベルト１０は、ベルト本体２０の幅方向端部の両側に、切創補強部２２を備えている。そして、切創補強部２２には、ベルト本体２０を構成する第１の素材に比して高い切創抵抗を有する第２の素材からなる複数の縦糸が交織されている。
【００２９】
スリングベルト１０が第１の素材だけで構成されているとすれば、そのベルトの使用が繰り返されることにより、幅方向端部だけでなくベルト本体２０においても劣化は進行する。これに対して、本実施形態の構造では、ベルト本体２０が、より高い強度を持つ切創補強部２２に保護される。このため、この構造によれば、ベルト本体２０の劣化が進行し難く、切創補強部２２に切創が生じた時点で、ベルト本体２０に十分な機械的強度が残存する。その結果、本実施形態の構成によれば、切創補強部２２に切創が生じた後、スリングベルト１０の破壊が進行するまでの間に十分な時間を得ることができ、スリングベルト１０の交換作業を安全に行うことができる。
【００３０】
［実施の形態１の変形例］
ところで、上述した実施の形態１では、第１の素材をポリエステル繊維とし、また、第２の素材をパラ系アラミド繊維としているが、それらの材質はこれに限定されるものではない。即ち、第１の素材に対して、第２の素材が高い切創抵抗を有するものであれば、スリングベルトの素材として用い得る如何なる素材を用いることとしてもよい。
【００３１】
また、上述した実施の形態１では、ベルト本体２０と共通の横糸に第２の素材の縦糸を混色することで切創補強部２２を形成することとしているが、切創補強部２２の構成並びに製造方法はこれに限定されるものではない。例えば、ベルト本体２０の幅方向端部の両側に、夫々第２の素材のヤーンをらせん状に縫い付けるなど、ベルト本体２０の両側に第２の素材の切創補強部２２が形成できれば、その構成及び製造方法は公知の如何なるものを用いることとしてもよい。
【００３２】
また、上述した実施の形態１では、スリングベルト１０が、両端アイ型であるものとしているが、スリングベルトの形式はこれに限定されるものではない。すなわち、本発明が対象とするスリングベルトはループ状に形成されるエンドレス型であってもよい。
【符号の説明】
【００３３】
１０  スリングベルト
２０  ベルト本体
２２  切創補強部
【図１】
2017197338.tif 000003
【図２】
2017197338.tif 000004